(57)【要約】【課題】操作ボックスが取り扱い容易な場所に設置され、通信線が外部に露出することがなく、取り付け工事も容易な配送物収納システムを提供することにある。【解決手段】壁２の開口部の内部に配置されて扉と扉の施錠装置とを有する複数の配送物受入箱１を組み合わせてなる配送物収納ユニットと、前記扉の施錠及び開錠の操作を制御する操作ボックス５と、を有する配送物収納システムにおいて、前記操作ボックス５を前記配送物収納ユニットの外部の壁面に設け、前記操作ボックス５と前記施錠装置とを通信線４を用いて電気的に接続し、前記通信線４を前記配送物収納ユニットと開口部周辺との間の隙間部３に通してなる。【選択図】  図１
2004194978.tif 000002
【特許請求の範囲】
【請求項１】
壁の開口部の内部に配置されて、扉と扉の施錠装置とを有する複数の配送物受入箱を組み合わせてなる配送物収納ユニットと、前記扉の施錠及び開錠の操作を制御する制御回路を内蔵する操作ボックスと、を有する配送物収納システムにおいて、前記操作ボックスを前記配送物収納ユニットの外部の壁面に設け、前記操作ボックスと前記施錠装置とを通信線を用いて電気的に接続し、前記通信線を前記配送物収納ユニットと開口部周辺との間の隙間部に通してなることを特徴とする配送物収納システム。
【請求項２】
前記配送物収納ユニットの前面から見て、前記操作ボックスの少なくとも一部が前記隙間部を覆うように配置されていることを特徴とする請求項１記載の配送物収納システム。
【請求項３】
前記隙間部にコーキングを施してなることを特徴とする請求項１又は請求項２記載の配送物収納システム。
【請求項４】
部屋の屋外と屋内とを隔てる壁に貫通した開口部の内部に前記配送物収納ユニットを設け、前記配送物受入箱の屋内側面と屋外側面との両面に、扉と扉の施錠装置とを有することを特徴とする請求項１乃至請求項３記載の配送物収納システム。
【請求項５】
前記操作ボックスをアンカーボルトによって壁面に固定してなることを特徴とする請求項1乃至請求項４記載の配送物収納システム。
【請求項６】
前記操作ボックスから引き出された通信線と、前記施錠装置から引き出された通信線とを中継コネクタを介して接続してなることを特徴とする請求項1乃至請求項５記載の配送物収納システム。
【発明の詳細な説明】
【０００１】
【発明の属する技術分野】
本発明は、集合住宅やオフィス等に設置され、宅配物や小包のような配送物の受入箱を複数個組み合わせた配送物収納ユニットとその施錠装置の操作ボックスとを有する配送物収納システムに関するものである。
【０００２】
【従来の技術】
最近、マンションのような集合住宅やオフィス等で、受取人が不在のときでも宅配物や小包のような配送物を保管・収納でき、後に受取人が受け取ることができる配送物収納システムが設置されるようになっている。この配送物収納システムは、図６に示すように、扉と、扉の施錠装置と、操作部５１とを備えた複数の配送物受入箱１を組み合わせた配送物収納ユニットからなっている。ここで、施錠装置は、電気式のものが使用され、操作部５１は、扉の施錠及び開錠の操作を制御する機能を有する制御回路を内蔵している。配送物の配達人は、操作部５１のスイッチを操作することにより、施錠装置を開錠して配送物受入箱１の扉を開けて、配送物を収納する。この後、受取人は、操作部５１のスイッチを操作することにより、開錠し、配送物受入箱の扉を開けて、配送物を取り出す。
【０００３】
この配送物収納システムを改良したものとして、操作部５２を１ヶ所に集中配置したものが、特開平５―２８７９４３号公報に提案されている。このものは、図７に示すように、操作部５２を１ヶ所に集中配置して制御することにより、配送物の受領書を発行するというような機能が付加されている。また、配送物収納ユニットには、郵便受入箱１ａが組合されている。
【０００４】
【特許文献１】
特開平５―２８７９４３号公報（第２−３頁、図１）
【０００５】
【発明が解決しようとする課題】
しかしながら、特許文献１の構成では、当然のことながら、操作部５２のスペースは配送物受入箱１として使用することができない。操作部５２を人手で操作することが容易な場所に設置すると、特に有効なスペースが配送物受入箱として使用することができなくなる。また、逆に、配送物の出し入れが容易なように、配送物受入箱１を配置すると、操作部が扱いにくい場所に設置されてしまうことになる。
【０００６】
この改善として、図８、図９に示すように、操作部を操作ボックス５として配送物収納ユニットの外部に設置する構成が考えられる。この構成では、操作ボックス５と施錠装置との間を通信線４で電気的に接続することが必要となる。ここで、通信線４を壁の外部に露出させると、外力等により通信線が傷つけられる可能性があり、さらに外観を損なうことになる。これらの問題に対応するために、図９に示すように、壁２の内部に通信線４を通すことが考えられる。しかし、このためには、通信線４を通すための電線管４５を壁内に埋め込む工事が必要となる。
【０００７】
本発明は、かかる事由に鑑みてなしたもので、その目的とするところは、操作ボックスが取り扱い容易な場所に設置され、通信線が外部に露出することがなく、取り付け工事も容易な配送物収納システムを提供することにある。
【０００８】
【課題を解決するための手段】
請求項１に係る発明は、壁の開口部の内部に配置されて、扉と扉の施錠装置とを有する複数の配送物受入箱を組み合わせてなる配送物収納ユニットと、前記扉の施錠及び開錠の操作を制御する制御回路を内蔵する操作ボックスと、を有する配送物収納システムにおいて、前記操作ボックスを前記配送物収納ユニットの外部の壁面に設け、前記操作ボックスと前記施錠装置とを通信線を用いて電気的に接続し、前記通信線を前記配送物収納ユニットと開口部周辺との間の隙間部に通してなるとを特徴としている。
【０００９】
請求項２に係る発明は、請求項１記載の配送物収納システムであって、前記配送物収納ユニットの前面から見て、前記操作ボックスの少なくとも一部が前記隙間部を覆うように配置されていることを特徴としている。
【００１０】
請求項３に係る発明は、請求項１又は請求項２記載の配送物収納システムであって、前記隙間部にコーキングを施してなることを特徴としている。
【００１１】
請求項４に係る発明は、請求項１乃至請求項３記載の配送物収納システムであって、部屋の屋外と屋内とを隔てる壁に貫通した開口部の内部に前記配送物収納ユニットを設け、前記配送物受入箱の屋内側面と屋外側面との両面に、扉と扉の施錠装置とを有することを特徴ととしている。
【００１２】
請求項５に係る発明は、請求項１乃至請求項４記載の配送物収納システムであって、前記操作ボックスをアンカーボルトによって壁面に固定してなることを特徴としている。
【００１３】
請求項６に係る発明は、請求項１乃至請求項５記載の配送物収納システムであって、前記操作ボックスから引き出された通信線と、前記施錠装置から引き出された通信線とを中継コネクタを介して接続してなることを特徴としている。
【００１４】
【発明の実施の形態】
（実施形態１）
実施形態１に係る配送物収納システムを図１、図２に基づいて説明する。図１は、配送物収納システムの正面図、図２は上面図である。
【００１５】
１は配送物受入箱であり、宅配物や小包のような比較的大型の配送物を収納する。１には、施錠装置が取付けられている扉が設けられている。
１ａは、郵便物受入箱であり、前面には、受入口１１が取り付けられている。ここで、配送物受入箱１の上部に郵便物受入箱１ａを配置することで、比較的大型の配送物の出し入れが容易な構造としている。これらの配送物受入箱１（郵便物受入箱１ａも含む）が組合されて、配送物収納ユニットを形成している。このものは、マンション等の入り口付近の壁２の屋内側に開口部を設け、この内部に埋め込むように設置されている。ここで、配送物収納ユニットと開口部の周辺部との間には、隙間部３を設けている。また、前述したように施錠装置は電気式であるので、これらの施錠・開錠を制御するための通信線４がまとめられて、配送物収納ユニットの側面から引き出されている。
【００１６】
操作ボックス５は、前面に操作スイッチが設置されていて、配送物受入箱１の施錠装置の施錠及び開錠を集中的に制御できる制御回路を内蔵している。操作スイッチの具体的例としては、テンキーが設けられていて、暗証番号をインプットすることにより、施錠・開錠が実施できるとともに、受領書が発行されるようになっている。この操作ボックス５は、図２に示すように、大部分が開口部に隣接する壁面に配置され、壁内に埋め込んだアンカーボルト６によって固定されている。また、この端部は隙間部３を覆うように配置されている。また、操作ボックス５は、人手の操作が容易なように、高さ約１ｍの位置に取付けられている。前述した配送物収納ユニットの側面から引き出された通信線４は、隙間部３を通って、操作ボックス５の背面から制御回路へと接続される。ここで、図２では、通信線４を直接に接続しているが、途中に中継コネクタを設けてもよい。こうすると、操作ボックス５に関わる配線工事と、配送物収納ユニットに関わる配線工事とを別々に実施することができる。なお、中継コネクタは、隙間部３に配置することになる。さらに、通信線４の接続工事を施行した後に、隙間部３の前面には、シリコンゴム３１を埋め込んで、コーキングを施す。
【００１７】
配送物の配達人は、操作ボックス５のテンキーを操作することで、受取人の配送物受入箱１の施錠装置を開錠して扉を開ける。そして、配送物を箱内に収納して、扉を閉めて施錠する。このときに、操作ボックス５で受領書が発行される。この後、配送物の受取人は、操作ボックス５のテンキーを操作することで、各自の配送物受入箱の施錠装置を開錠する。そして、扉を開けて、配送された配送物を取り出して、扉を閉めて、施錠する。
【００１８】
一方、小型の配送物である郵便物の配達人は、郵便物受入箱１ａの受入口１１から配送物を投入し、受取人は、各自の郵便物受入箱１ａの扉を開けて郵便物を受け取る。なお、この郵便受入箱１ａの開錠は、各郵便受入箱１ａに取付けた施錠装置によってもかまわないし、操作ボックス５によってもかまわない。
【００１９】
本実施形態では、受取人が不在のときでも、配達人は、操作ボックスを操作することで配送物受取箱の扉を開錠して、配送物を箱内に収納することができる。また、受取人は、同様にして各自の受取箱の扉を開錠し、各自の配送物を受け取ることができる。本実施形態の配送物収納システムでは、操作ボックスが配送物収納ユニットの外にあるので、配送物収納ユニット全体を配送物受入箱（郵便受入箱を含む）として使用することができ、スペースの有効活用が図られる。また、操作ボックスは、人手の操作が容易な場所に設置することも可能となる。さらに、操作ボックスの制御回路のみに関わる保守作業や改良工事も配送物収納ユニットに関わることなく、独立して実施することができる。
【００２０】
そして、施錠装置と操作ボックスとを電気的に接続する通信線を隙間部を通しているので、壁内に配管を設ける工事が不要となり、配線工事が容易となる。この結果として、住宅関連の工事業者による壁の工事が不要となり、配送物収納システム設置業者のみで、設置工事を実施することが可能となる。また、操作ボックスが、隙間部を覆うように設置されていて、通信線が操作ボックスの背面から制御回路に接続されているので、通信線は、外部から見えない構成となっている。このために、通信線が露出することなく、外観を損なうことがなくなる。さらに、通常の操作では、通信線に人手が触れることがなくなるので、通信線を破損する恐れも少なくなる。さらに、隙間部にコーキングを施しているので、外観がさらにきれいになる。あわせて、通信線が固定されるので、通信線が破損する恐れがさらに少なくなる。
【００２１】
（実施形態２）
実施形態２に係る配送物収納システムを図３〜５に基づいて説明する。図３は配送物収納システムの屋内側の正面図、図４は屋外側の正面図、図５は上面図である。
【００２２】
本実施形態では、マンション等の入り口付近にあって、部屋の屋内と屋外とを隔てる壁２に貫通開口部を設け、配送物収納ユニットは、この内部に設置される。すなわち、配送物収納ユニットは、マンションの屋内側と屋外側の両方に面する構造となっている。配送物受入箱１には、屋内側面・屋外側面の両方に、施錠装置と扉とが設置されている。また、郵便物受入箱１ａには、屋内側面に扉が設置され、屋外側面に受入口１１が設置されている。
【００２３】
屋内側操作ボックス５ａと屋外側操作ボックス５ｂの操作スイッチ及び内蔵回路は実施形態１の操作ボックス５のものと略同じである。屋内側操作ボックス５ａは、大部分が貫通開口部に隣接する屋内側の壁面にアンカーボルト６によって高さ約１ｍの位置に取り付けられ、この端部が隙間部３を覆うように配置されている。一方、屋外側操作ボックス５ｂも同様に、大部分が貫通開口部に隣接する屋外側面にアンカーボルト６によって高さ約１ｍの位置に取り付けられ、この端部が隙間部３を覆うように配置されている。また、配送物収納ユニットから引き出された通信線４ａは、隙間部３を通って、屋内側操作ボックス５ａの背面から制御回路へと接続される。同様に、通信線４ｂは、隙間部３を通って、屋外側操作ボックス５ｂの背面から制御回路へと接続される。また、通信線４ａ、４ｂの接続工事を施行した後に、隙間部３には、シリコンゴム３１を埋め込んで、コーキングを施す。
【００２４】
配送物の配達人は、マンションの屋外から、屋外側操作ボックス５ｂのテンキーを操作して、配送物受入箱の施錠装置を開錠し、扉を開ける。そして、配送物を箱内に収納した後、扉を閉めて施錠する。このときに、受領書が屋外側操作ボックス５ｂで発行される。この後、受取人は、マンションの屋内から、屋内側操作ボックス５ａのテンキーを操作することで、配送物受入箱１の施錠装置を開錠する。そして、扉を開けて、配送物を取り出して、扉を閉めて、施錠する。
【００２５】
一方、郵便物の配達人は、マンションの屋外から郵便物受入箱１ａの受入口１１に配送物を投入し、受取人は、マンションの屋内から郵便物受入箱１ａの扉を開けて郵便物を受け取る。なお、この郵便受入箱１ａの開錠は、各郵便受入箱１ａに取付けた施錠装置によってもかまわないし、屋内側操作ボックス５ａによってもかまわない。
【００２６】
本実施形態では、壁に貫通した開口部の内部に配送物収納ユニットを設け、配送物受入箱の屋内側面と屋外側面との両面に、施錠装置と扉とを有しているので、実施形態１の効果に加えて、配達人がマンション等の屋内に入ることなく、配送物を配送物受入箱に収納することができる。
【００２７】
【発明の効果】
請求項１に係る配送物収納システムは、壁の開口部の内部に配置されて、扉と扉の施錠装置とを有する複数の配送物受入箱を組み合わせてなる配送物収納ユニットと、前記扉の施錠及び開錠の操作を制御する制御回路を内蔵する操作ボックスと、を有する配送物収納システムにおいて、前記操作ボックスを前記配送物収納ユニットの外部の壁面に設けてなることを特徴としているので、配送物収納ユニットを全て配送物受入箱に使用することができ、さらに、操作ボックスを、人手で容易に操作できる場所に設置することも可能となる。また、前記操作ボックスと前記施錠装置とを通信線を用いて電気的に接続し、前記通信線を前記配送物収納ユニットと開口部周辺との間の隙間部に通してなることを特徴としているので、操作ボックスの制御回路のみに関わる保守作業や改良工事も配送物収納ユニットに関わることなく容易に実施することができ、通信線が外に露出することがないので、外観をそこなうことがない。
【００２８】
請求項２に係る配送物収納システムは、請求項１記載の構成において、前記配送物収納ユニットの前面から見て、前記操作ボックスの少なくとも一部が前記隙間部を覆うように配置されていることを特徴としているので、請求項１記載の効果に加えて、通信線が外部から直接に見えることがなくなり、外観を損なうことがさらに少なくなる。
【００２９】
請求項３に係る配送物収納システムは、請求項1又は請求項２記載の構成において、前記隙間部にコーキングを施してなることを特徴としているので、請求項１又は請求項２記載の効果に加えて、通信線が固定されるので、信頼性が向上する。
【００３０】
請求項４に係る配送物収納システムは、請求項１乃至請求項３記載の構成において、部屋の屋外と屋内とを隔てる壁に貫通した開口部の内部に前記配送物収納ユニットを設け、前記配送物受入箱の屋内側面と屋外側面との両面に、扉と扉の施錠装置とを有することを特徴としているので、請求項１乃至請求項３記載の効果に加えて、配達人がマンション等の内部に入ることなく、配送物を配送物受入箱に収納することができる。
【００３１】
請求項５に係る配送物収納システムは、請求項1乃至請求項４記載の構成において、前記操作ボックスをアンカーボルトによって壁面に固定してなることを特徴としているので、請求項１乃至請求項４記載の効果に加えて、前記操作ボックスを容易に取付けることができる。
【００３２】
請求項６に係る配送物収納システムは、請求項１乃至請求項５記載の構成において、前記操作ボックスから引き出された通信線と、前記施錠装置から引き出された通信線とを中継コネクタを介して接続してなることを特徴としているので、請求項１乃至請求項５記載の効果に加えて、前記操作ボックスの配線工事が容易になる。
【図面の簡単な説明】
【図１】実施形態１に係る配送物収納システムの正面図である。
【図２】同じく、実施形態１に係る配送物収納システムの上面図である。
【図３】実施形態２に係る配送物収納システムの屋内側の正面図である。
【図４】実施形態２に係る配送物収納システムの屋外側の正面図である。
【図５】実施形態２に係る配送物収納システムの上面図である。
【図６】従来例に係る配送物収納システムの正面図である。
【図７】特許文献１に係る配送物収納システムの正面図である。
【図８】特許文献１を改良した配送物収納システムの正面図である。
【図９】同じく、特許文献１を改良した配送物収納システムの上面図である。
【符号の説明】
１        配送物受入箱
１ａ      郵便物受入箱
１１      受入口
２        壁
３        隙間部
３１      シリコンゴム
４、４ａ、４ｂ        通信線
５        操作ボックス
５ａ      屋内側操作ボックス
５ｂ      屋外側操作ボックス
６        アンカーボルト
【図１】
2004194978.tif 000003
【図２】
2004194978.tif 000004
【図３】
2004194978.tif 000005
【図４】
2004194978.tif 000006
【図５】
2004194978.tif 000007
【図６】
2004194978.tif 000008
【図７】
2004194978.tif 000009
【図８】
2004194978.tif 000010
【図９】
2004194978.tif 000011